(57)【要約】【課題】ゴルフクラブと同じ用具感覚でゴルフバッグに出し入れできるゴルフボール収納具を提供すること。【解決手段】ゴルフボールの外形よりも大きめの内径を有し下端に抜け止めを設けた管体２の内部に、圧縮スプリング３設け、前記管体の上端部には前記スプリングのストッパーを兼ねた弾性フィンガー付きボールホルダー４を設けたゴルフボール収納筒で、この筒１の中にゴルフボールを収納し収納筒ごとゴルフバッグに出し入れできるもので、スプリング３で押し上げられたゴルフボールを上部から１個ずつ順に取り出せるのでボールの取り出しが容易となる。【選択図】図１
2008264473.tif 000002
【特許請求の範囲】
【請求項１】
ゴルフボールの外形よりも大きめの内径を有し下端に抜け止めを設けた管体の内部に、圧縮スプリングを設け、前記管体の上端部には前記圧縮スプリングのストッパを兼ねた弾性フィンガー付きボールホルダーを設けたことを特徴とするゴルフボール収納筒。
【請求項２】
ボールホルダーには、管体の軸方向に沿って摺動可能なゴルフボール回収用の袴部材が被せられていることを特徴とする請求項１記載のゴルフボール収納筒。
【請求項３】
ゴルフボール回収用の袴部材は、複数の支柱で囲まれた円筒状の箱体を構成し、前記複数の支柱によってボールホルダーの台座外周に設けられたガイド溝に依って摺動自在に案内されることを特徴とする請求項２記載のゴルフボール収納筒。
【請求項４】
管体の下端には、スパイク付きの底蓋が設けられていることを特徴とする請求項１，２又は３記載のゴルフボール収納筒。
【請求項５】
管体の内側には軸方向に沿って複数の座金案内溝が設けられていることを特徴とする請求項１，２，３又は４記載のゴルフボール収納筒。
【請求項６】
ボール収納筒の上端部に設けられたボールホルダーと、下端部に設けられたスパイク付き底蓋が、管体の端部に対してそれぞれ着脱可能に設けられていることを特徴とする請求項１，２，３，４又は５記載のゴルフボール収納筒。
【発明の詳細な説明】
【技術分野】
【０００１】  本発明はゴルフボールの収納具であって、特にゴルフバッグの中にゴルフ用のクラブと同じように並べて収納できる筒状のボール収納具に関するものである。
【背景技術】
【０００２】  通常、ゴルフボールはゴルフバッグのポケットに収納して持ち運び、適当な数だけズボンのポケットや腰に付けたポシェットに入れて置き、必要なときに適宜取り出して使用している。
しかしながら、ボールを取り出す度にゴルフバッグやポシェットのファスナーを引き開けたりするのは面倒であり、ズボンのポケットは大きく膨らんで歩き辛く、外見上もあまり感心されたものではない。しかし、ボールの収納場所をとらずに、比較的多くのゴルフボールを収納できてプレー中にも取り出し容易な方法は未だに実用化されていない。【０００３】  ゴルフクラブ収納器にゴルフクラブと平行にゴルフボールを並べて収納したものは既に提案されている（例えば、特許文献１参照）。
これは、グランドゴルフ用具収納器に関するもので、ゴルフ用具を収納して保管したり移動したりするのに適用され、ゴルフクラブのスティック自体がボールの脱落防止を兼ねるように配列した構成を有しており、プレー中のゴルフボールの取り出しについては、全く目的外の構成効果を有するものである。
【特許文献１】  特開２００２−６５９２７号公報
【発明の開示】
【発明が解決しようとする課題】
【０００４】  本発明は、単なるゴルフ用具の運搬具に組み込まれたゴルフボール収納具ではなく、ゴルフボール単独の収納具であって、ゴルフクラブと同じ用具感覚でゴルフバッグに出し入れできるゴルフボール収納具を提供するものである。
【問題を解決するための手段】
【０００５】  前記目的を達するため、請求項１記載の発明では、ゴルフボールの外径よりも大きめの内径を有し下端に抜け止めを設けた管体の内部に、上端に座金を載置した圧縮スプリングを設け、前記管体の上端部には前記圧縮スプリングのストッパーを兼ねた弾性フィンガー付きボールホルダーを設けたことを特徴とするゴルフボール収納筒で、この筒の中にゴルフボールを収納し収納筒ごとゴルフバッグに出し入れできるので嵩張らず、しかも、スプリングで押し上げられたゴルフボールを上部から１個ずつ順に取り出せるのでボールの取り出しが容易となるのである。
【０００６】  請求項２記載の発明では、ボールホルダーには管体の軸方向に沿って摺動可能なゴルフボール回収用の袴部材が被せられており、フィールド上のゴルフボールを拾い集める時のガイドとして有利な構成を付加したものである。
【０００７】  請求項３記載の発明は、前記ゴルフボール回収用の袴部材が複数の支柱で囲まれた円筒状の箱状体を構成し、前記複数の支柱によってボールホルダーの台座外周に設けられたガイド溝によって摺動自在に案内されるようになっている。
【０００８】  請求項４記載の発明では、ゴルフボール収納筒の下端にスパイク付きの底蓋が設けられており、ボール収納筒自体をフィールドに突き立てて、パター練習時の旗竿の代わりに使用できるようになっている。
【０００９】  請求項５記載の発明は、ゴルフボール収納筒の管体の内側に軸方向に沿って複数の座金案内溝が設けられており、収納したボールをスプリングによって均等に押し上げるようになっている。
【００１０】  請求項６記載の発明は、ゴルフボール収納筒の上端部に設けられたボールホルダーと、下端部に設けられたスパイク付き底蓋が、前記管体の端部に対してそれぞれ着脱可能に設けられたことを特徴とするものである。
【発明の効果】
【００１１】  この発明は、ボールを収納したゴルフボール収納筒をゴルフクラブと同じ感覚でゴルフバッグに出し入れできるので嵩張らず、しかも、スプリングで押し上げられたゴルフボールを上部から１個ずつ順に取り出せるのでボールの取り出しが容易となる効果を有する。また、フィールド上にあるボールを拾い上げて筒に収納する場合、ボールホルダーの弾性フィンガー先端部をボールに押しつけることにより、自動的にゴルフボールを収納筒の先端から回収することが出来る。
【００１２】  更に、このゴルフボール収納筒は、下端部のスパイクをフィールドの芝生に突き刺してパター練習用の旗竿の代わりに使用することも出来る。スパイクには保安用のゴムシューズ等を履かせるようにしたので、ゴルフバッグに収納した場合、バッグの底を損傷から守ることが出来る。
【発明を実施するための最良の形態】
【００１３】  以下、本発明の実施の形態を図１〜図７に基づいて説明する。なお、以下の説明において同一機能を有する部材や部位、構成部分については同一の符号や文字を付けて説明を省略する場合がある。【００１４】  図１は本発明のゴルフボール収納筒１の組み立て説明図である。このゴルフボール収納筒１は、管体２と、管体２の中に設けられた圧縮スプリング３と、圧縮スプリング３のストッパーを兼ねたボールホルダー４と、圧縮スプリング３の上端部に設けられた座金５と、底蓋７とを有している。
底蓋７の外周には管体２の下端部に設けられた雌ネジ２ａと螺合する雄ネジ７ａが形成されており、必要に応じて図のようにスパイク７ｂが設けられる。
このスパイク７ｂは、本発明のゴルフボール収納筒をフィールドの芝生に突き立ててパター練習時の旗竿代わりに使用することが出来るものである。
８はゴムや合成樹脂等の材料で作られた保安用のシューズで、底蓋にスパイク７ｂを設けた場合、不使用時にはスパイクに履かせておくものである。【００１５】  図２は管体２の詳細図で、（ａ）は部分断面図、（ｂ）はＡ−Ａ断面図である。
管体２は合成樹脂や軽合金等の適当な軽量の材料からなる円筒体で、下端部には、底蓋７と螺合する雌ネジ２ａが形成されており、上端部にはボールホルダー４（図３参照）の雌ネジ４ｂと螺合する雄ネジ２ｂが形成されている。また、内面には前述した座金５（図１参照）の外周に設けられた複数のスライドアーム（図示せず）を案内する座金案内溝として縦溝２ｃが形成されている。【００１６】  図３はボールホルダー４の詳細図で、（ａ）は平面図、（ｂ）は正面部分断面図、（ｃ）は底面図である。
４ａは内面に管体２の雄ネジ２ｂ（図２参照）と螺合する雌ネジ４ｂが形成されている筒部４ａと、外周に複数のガイド溝４ｅと貫通孔４ｇを有する台座４ｃと、台座４ｃ上に設けられた複数の弾性フィンガー４ｆを有している。ガイド溝４ｅは、後述する袴部材６（図４参照）の支柱６ｃを案内するものである。
貫通孔４ｇはゴルフボールの外形よりも大きめの内径を有している。弾性フィンガー４ｆはゴルフボールを掴むためのものであって、ゴルフボールの形状と大きさに合わせた構成を備えた強度と弾性を有する材料からなっている。弾性フィンガー４ｆの先端部４ｈは仮想線で示すゴルフボールを押さえ込むような表面形状に合わせた曲面を有しており、更にフィンガーの最先端部４ｊの表面はゴルフボールをフィンガー４ｆの上端部から押し込んで開くような大きさと形状に合わせた曲面を有している。【００１７】  図４は袴部材６の詳細図で、（ａ）は部分断面平面図、（ｂ）は正面部分断面図、（ｃ）は底面図である。
この袴部材６は上板６ａと下板６ｂの間を複数の支柱６ｃで支えた円筒状の箱体を構成し、支柱６ｃが図３に示すボールホルダー４の台座４ｃに設けられたガイド溝４ｅに案内されて上下に摺動するように組み立てられている。
上板６ａに設けられた貫通孔６ｅは、ボールホルダー４の台座４ｃの外径より小さく、弾性フィンガー４ｆの配列外周径よりも大きく形成されている。また、下板６ｂの貫通孔６ｄは、ホルダー４の筒部４ａの外径よりも小さく管体２の外径よりも大きく形成されている。
したがって、この袴部材はボールホルダー４を抱え込む形で上下に摺動自在となっており、台座から抜け落ちない構成となっているので、組み立てに際しては、上板６ａか下板６ｂの何れかを後から組み込めるような構成の配慮が必要である。【００１８】  図５〜図７は本発明のゴルフボール収納筒の各種使用例を示す説明図で、図５はゴルフボールの手動押し込み収納例である。ゴルフボール収納筒の管体２に弾性フィンガー４ｆの上方からゴルフボールＢａを押し込むとボールは圧縮スプリング３を押し縮めながら押し下げられ、図のように次々とボールをＢａ〜Ｂｎの順に収納することが出来る。
そしてゴルフボールは常に圧縮スプリング３によって上方に押し上げられており、弾性フィンガー４ｆで弾性的に保持されているので、必要に応じて容易にボールホルダー４の弾性フィンガー４ｆから順次ゴルフボールを抜き出して使用することが出来る。【００１９】  図６はフィールド上のゴルフボール収納例で、地上に落ちているゴルフボールＢの上にゴルフボール収納筒１を逆さに翳すと、（ａ）に示すように袴部材６がボールホルダーの台座に設けられているガイド溝４ｅ（図３参照）に沿って矢印Ｘ方向に降りてきてボールの上に覆い被さり、位置を固定する。この状態で力を入れてゴルフボール収納筒１を矢印Ｗ方向に力を込めて押し下げると、ゴルフボールＢは弾性フィンガー４ｆを押し開いて圧縮スプリング３を押し縮めながらフィンガーの内側まで押し込まれて確保され、順次筒の中に収納される。
したがって、フィールド上のゴルフボールを立ったままで容易に収納して回収できるのである。【００２０】  図７は本発明のゴルフボール収納筒の使用例で、（ａ）はゴルフバッグＧへの収容状態図を示しており、ボールを収納したゴルフボール収納筒をゴルフクラブと同じ用具感覚でゴルフバッグＧに出し入れできるので嵩張らず、しかも、スプリングで押し上げられたゴルフボールを上部から１個ずつ順に取り出せるのでボールの取り出しが容易となる効果を有する。
なお、このようにゴルフバッグＧに収納するときは、必要に応じてバッグの底を傷つけないように保安シューズ８を履かせることが推奨される。
（ｂ）はパター練習用の旗竿としての使用状態を示す説明図である。底部にあるスパイク７ｂをグリーンに突き立てて旗竿代わりに使用できるので、わざわざ旗竿を準備することもなく、練習が終われば、図６にて説明したように、ゴルフボール収納筒兼用の旗竿を逆さにしてゴルフボールを回収することが出来る。【００２１】  以上のように、本発明のゴルフボール収納筒はゴルフクラブと同じ用具感覚でゴルフバッグに出し入れできるので嵩張らず、しかも、スプリングで押し上げられたゴルフボールを上部から１個ずつ順に取り出せるのでボールの取り出しが容易となる効果を有する。
また、本発明のゴルフボール収納筒は、パター練習用の旗竿として使用することも出来るので、わざわざ旗竿を準備することもなく、練習が終われば、図６にて説明したように、ゴルフボール収納筒兼用の旗竿を逆さに使用してゴルフボールを回収することが出来る。更に、このゴルフボール収納筒の下端部に設けたスパイクはゴルフボール収納筒を芝生に突き刺してパター練習用の旗竿の代わりに使用することも出来る。そして、スパイクには保安用のゴムシューズ等を履かせるようにしたので、ゴルフバッグに収納した場合、バッグの底を損傷から守ることが出来る等、多機能を有するにも拘わらず取扱い容易で外観も使い勝手も優れたゴルフボール収納筒を提供できるものである。
【図面の簡単な説明】
【００２２】
【図１】本発明のゴルフボール収納筒の組み立て説明図である。
【図２】本発明のゴルフボール収納筒の管体２の詳細図である。
【図３】本発明のゴルフボール収納筒のボールホルダー４の詳細図である。
【図４】本発明のゴルフボール収納筒の袴部材６の詳細図である。
【図５】本発明を使用したゴルフボールの手動押し込み収納例である。
【図６】本発明を使用したフィールド上のゴルフボール収納例である。
【図７】本発明のゴルフボール収納筒の使用例を示す説明図である。
【符号の説明】
【００２３】    １・・・ゴルフボール収納筒
２・・・管体
３・・・圧縮スプリング
４・・・ボールホルダー
４ｆ・・弾性フィンガー
４ｅ・・ガイド溝
４ｃ・・台座
６・・・袴部材
６ｃ・・支柱
７・・・底蓋
７ｂ・・スパイク
【図１】
2008264473.tif 000003
【図２】
2008264473.tif 000004
【図３】
2008264473.tif 000005
【図４】
2008264473.tif 000006
【図５】
2008264473.tif 000007
【図６】
2008264473.tif 000008
【図７】
2008264473.tif 000009